(57)【要約】【課題】  バッテリ残量が少ない状態でも、電源ＯＮされた場合、ユーザの求める機能を実現させるように動作させる。【解決手段】  デジタルスチルカメラ１０の電源がＯＮ状態になると、バッテリ残量検出回路６６がバッテリ残量を検出し（Ｓ１０２）、フォーカシングレンズ１３Ａ、ズームレンズ１３Ｂ、ＣＣＤ４０、レンズシャッタ２８、液晶モニタ１６を初期設定駆動可能できるほどバッテリ容量が残っているか判断する（Ｓ１０３）。バッテリ容量がないと判断された場合、再生モード選択可能な表示処理を実行し（Ｓ１０６）、フォーカシングレンズ１３Ａ、ズームレンズ１３Ｂ、ＣＣＤ４０、レンズシャッタ２８を初期設定駆動させることなく、再生モードを設定する（Ｓ１１１）。【選択図】        図３
2005236757.tif 000002
【特許請求の範囲】
【請求項１】
バッテリ、撮像素子および表示部を備えたデジタルカメラであって、
電源ＯＮ動作に従い、撮影可能となるように少なくとも前記撮像素子および表示部を初期設定駆動させる初期設定動作手段と、
電源ＯＮ時にバッテリ残量を検出するバッテリ残量検出手段と、
検出されたバッテリ残量に基づき、前記撮像素子および表示部の初期設定駆動が可能であるか否かを判断する初期設定駆動可能判別手段と、
前記撮像素子および表示部の初期設定駆動ができないと判断された場合、前記表示部を初期設定駆動させ、被写体像を再生表示する再生モードを設定可能にする再生モード設定手段と
を備えたことを特徴とするデジタルカメラ。
【請求項２】
ズームレンズおよびフォーカシングレンズをさらに有し、
前記初期設定動作手段が、電源ＯＮ動作に従い、前記ズームレンズおよびフォーカシングレンズを初期設定駆動させ、
前記初期設定駆動可能判別手段が、前記撮像素子、ズームレンズ、フォーカシングレンズおよび表示部の初期設定駆動が可能であるか否かを判断することを特徴とする請求項１に記載のデジタルカメラ。
【請求項３】
レンズシャッタをさらに有し、
前記初期設定動作手段が、電源ＯＮ動作に従い、前記レンズシャッタを初期設定駆動させ、
前記初期設定駆動可能判別手段が、前記撮像素子、ズームレンズ、フォーカシングレンズ、レンズシャッタおよび表示部の初期設定駆動が可能であるか否かを判断することを特徴とする請求項２に記載のデジタルカメラ。
【請求項４】
前記再生モード設定手段が、再生モードを選択可能にさせる文字情報を表示するように表示処理動作を実行するとともに、ユーザの再生モード選択操作に従い、再生モードを設定することを特徴とする請求項１に記載のデジタルカメラ。
【請求項５】
前記撮像素子および表示部の初期設定駆動ができないと判断された場合、前記表示部の初期設定駆動が可能であるか否かを判別する表示部初期設定駆動可能判別手段と、
前記表示部の初期設定駆動ができないと判断された場合、前記カメラの電源ＯＦＦ動作を実行する電源ＯＦＦ動作処理手段と
をさらに有することを特徴とする請求項１に記載のデジタルカメラ。
【請求項６】
電源ＯＮ状態においてのみモード設定可能とする設定操作部材と、
電源ＯＮ状態での前記設定操作部材に対する操作に応じてモードを設定するモード切替手段と
をさらに有することを特徴とする請求項１に記載のデジタルカメラ。
【請求項７】
バッテリ、撮像素子および表示部を備えたデジタルカメラの初期設定動作を制御する初期設定動作プログラムであって、
電源ＯＮ動作に従い、撮影可能となるように少なくとも前記撮像素子および表示部を初期設定駆動させる初期設定動作手段と、
電源ＯＮ時にバッテリ残量を検出するバッテリ残量検出手段と、
検出されたバッテリ残量に基づき、前記撮像素子および表示部の初期設定駆動が可能であるか否かを判断する初期設定駆動可能判別手段と、
前記撮像素子および表示部の初期設定駆動ができないと判断された場合、前記表示部を初期設定駆動させ、被写体像を再生表示する再生モードを設定可能にする再生モード設定手段と
を機能させることを特徴とする初期設定動作プログラム。
【請求項８】
バッテリ、撮像素子および表示部を備えたデジタルカメラであって、
電源ＯＮ動作に従い、撮影可能となるように少なくとも前記撮像素子および表示部を初期設定駆動させる初期設定動作手段と、
電源ＯＮ時にバッテリ残量を検出するバッテリ残量検出手段と、
検出されたバッテリ残量に基づき、前記撮像素子および表示部の初期設定駆動が可能であるか否かを判断する初期設定駆動可能判別手段と、
前記撮像素子および表示部の初期設定駆動ができないと判断された場合、前記表示部を初期設定駆動させ、キャラクタ情報あるいは画像を表示する表示モードを設定可能にする表示モード設定手段と
を備えたことを特徴とするデジタルカメラ。
【発明の詳細な説明】
【技術分野】
【０００１】
本発明は、デジタルカメラに関し、特に、電源ＯＮさせた時の初期設定動作に関する。
【背景技術】
【０００２】
従来のデジタルカメラでは、電源スイッチがＯＮになると、レンズ、絞り、ＣＣＤなどが初期設定駆動され、撮影可能状態になる。また、デジタルカメラでは撮影モードの他に、記録画像を再生表示する再生モードなど設定可能であり、ユーザは必要に応じてモードを選択する（特許文献１参照）。例えば、モードダイヤルや切替ボタンがカメラに設けられており、ユーザはダイヤルを回すことによりモードを切り替えることができる。また、デジタルカメラの電源ＯＮ状態ではバッテリ残量がチェックされており、バッテリ残量が少なくなった場合、撮影動作を強制的に停止する構成が知られている（例えば特許文献２参照）。
【特許文献１】特開平１１−３０８４９０号公報
【特許文献２】特開２００２−４４４９８号公報
【発明の開示】
【発明が解決しようとする課題】
【０００３】
ユーザは、電源ＯＦＦの状態ではバッテリ残量を確認できず、レンズ、ＣＣＤ等の初期設定駆動ができるか否かは電源ＯＮ状態にするまで知らない。また、ユーザが撮影以外の機能を使用したい場合（例えば、再生モードにより記録画像を表示する場合）でも、撮影用の初期設定駆動ができなければ、カメラは自動的に電源ＯＦＦ状態になってしまう。
【０００４】
そこで本発明では、バッテリ残量が少ない状態でも、電源ＯＮされた場合、ユーザの求める機能を実現させるように動作させることができるデジタルカメラを提供することを課題とする。
【課題を解決するための手段】
【０００５】
本発明に係るデジタルカメラは、バッテリ、撮像素子および表示部を備えたデジタルカメラであって、初期設定動作手段と、バッテリ残量検出手段と、初期設定駆動可能判別手段と、再生モード設定手段とを備える。例えばバッテリとして電池が適用され、撮像素子としてＣＣＤ、表示部としてＬＣＤが設けられる。
【０００６】
初期設定動作手段は、電源ＯＮ動作に従い、撮影可能となるように撮像素子および表示部を初期設定駆動させる。初期設定駆動は、カメラの電源ＯＮ時において実行される初期設定動作であり、カメラに設けられた各回路、機構に対しあらかじめ設定された初期状態となるように動作処理が実行される。例えば、ズームレンズおよびフォーカシングレンズが備えられている場合、初期設定動作手段は電源ＯＮ時に所定の位置へズームレンズおよびフォーカシングレンズを駆動させる。さらに、虹彩絞りなどの絞りや、あるいは絞りとして機能するレンズシャッタが備えられている場合、初期設定動作手段は、絞りあるいはレンズシャッタを所定の開度まで駆動させる。
【０００７】
バッテリ残量検出手段は、電源ＯＮ時にバッテリ残量を検出する。そして、初期設定駆動可能判別手段は、検出されたバッテリ残量に基づき、撮像素子および表示部の初期設定駆動可能か否かを判断する。ズームレンズおよびフォーカシングレンズが備えられている場合、初期設定駆動可能判別手段は、撮像素子、ズームレンズ、フォーカシングレンズおよび表示部の初期設定駆動が可能であるか否かを判断する。また、レンズシャッタを備えている場合、初期設定駆動可能判別手段が、撮像素子、ズームレンズ、フォーカシングレンズ、レンズシャッタおよび表示部の初期設定駆動が可能であるか否かを判断する。再生モード設定手段は、撮像素子および表示部の初期設定駆動ができないと判断された場合、表示部を初期設定駆動させ、被写体像を再生表示する再生モードを設定可能にする。
【０００８】
レンズ等を初期設定駆動するにはバッテリ残量が足りない場合でも、再生モードを設定することにより記録画像を再生することができ、バッテリ残量が少ない場合においても効果的にカメラを動作させることができる。
【０００９】
表示部の初期設定駆動さえもできないバッテリ残量の場合、自動的にカメラを電源ＯＦＦにさせるのが望ましい。この場合、カメラは、撮像素子および表示部の初期設定駆動ができないと判断された場合、表示部の初期設定駆動が可能であるか否かを判別する表示部初期設定駆動可能判別手段と、表示部の初期設定駆動ができないと判断された場合、カメラの電源ＯＦＦ動作を実行する電源ＯＦＦ動作処理手段とをさらに備えているのがよい。
【００１０】
ユーザが再生モードを希望しない場合、自動的にカメラを電源ＯＦＦ状態にするのがよい。そのため、再生モード設定手段は、再生モードを選択可能にさせる文字情報を表示するように表示処理動作を実行するとともに、ユーザの再生モード選択操作に従い、再生モードを設定するのがよい。
【００１１】
例えば、電源ＯＮ時には撮影モードに自動的に設定され、ユーザがボタン操作することにより再生モードなど他のモードへ切り替えられるようにされるカメラ、すなわち、電源ＯＮ状態においてのみモード設定可能とする設定操作部材と、電源ＯＮ状態での設定ボタンに対する操作に応じてモードを設定するモード切替手段とを備えるカメラの場合、ユーザは電源ＯＦＦ状態においてモード変更不能である。本発明のカメラでは、このようなタイプのカメラでもユーザの求めるモードに応じてカメラを効果的に初期動作させることができる。
【００１２】
本発明の初期設定駆動に係るプログラムは、バッテリ、撮像素子および表示部を備えたデジタルカメラの初期設定動作を制御する初期設定動作プログラムであって、電源ＯＮ動作に従い、撮影可能となるように少なくとも撮像素子および表示部を初期設定駆動させる初期設定動作手段と、電源ＯＮ時にバッテリ残量を検出するバッテリ残量検出手段と、検出されたバッテリ残量に基づき、撮像素子および表示部の初期設定駆動が可能であるか否かを判断する初期設定駆動可能判別手段と、撮像素子および表示部の初期設定駆動ができないと判断された場合、表示部を初期設定駆動させ、被写体像を再生表示する再生モードを設定可能にする再生モード設定手段とを機能させることを特徴とする。
【００１３】
本発明の他の特徴であるデジタルカメラは、再生モードだけではなく、表示部を駆動するだけでモード設定可能な表示モードを設定可能にするカメラであり、電源ＯＮ動作に従い、撮影可能となるように少なくとも撮像素子および表示部を初期設定駆動させる初期設定動作手段と、電源ＯＮ時にバッテリ残量を検出するバッテリ残量検出手段と、検出されたバッテリ残量に基づき、撮像素子および表示部の初期設定駆動が可能であるか否かを判断する初期設定駆動可能判別手段と、撮像素子および表示部の初期設定駆動ができないと判断された場合、表示部を初期設定駆動させ、キャラクタ情報あるいは画像を表示する表示モードを設定可能にする表示モード設定手段とを備えたことを特徴とする。
【発明の効果】
【００１４】
本発明によれば、バッテリ残量が少ない状態で電源ＯＮされた場合、比較的電力消費しない再生モード、表示モードへ設定可能となり、ユーザは、バッテリ残量が少ない状態でもユーザの求める機能を実現させるようにカメラを動作させることができる。
【発明を実施するための最良の形態】
【００１５】
以下、図面を参照して本発明の実施形態について説明する。
【００１６】
図１は、本実施形態であるデジタルスチルカメラの斜視図である。ここでは、デジタルスチルカメラとしてコンパクト型カメラが適用されている。デジタルスチルカメラ１０は、本体１０Ａと本体１０Ａの前面に装着されるレンズ鏡筒１０Ｂとを備え、レンズ鏡筒は本体１０Ａから前方へ自在に繰り出される。
【００１７】
デジタルスチルカメラ１０の上面１０Ｕには、レリーズボタン１４、パワースイッチボタン１５が設けられており、カメラ１０の背面１０Ｋには、ファインダの接眼部１２、液晶モニタ１６、リターンボタン１９、十字型の設定ボタン２０、決定ボタン２１、ズームボタン２２が設けられている。また、デジタルカメラ１０の側面１０Ｓには、メモリカード挿入用のカードスロット（図示せず）が形成されている。
【００１８】
電源ＯＦＦ状態の場合、レンズ鏡筒１０Ｂはカメラ本体１０Ａ内に収容されている。パワースイッチボタン１５に対する操作によって電源ＯＮになると、レンズ鏡筒１０Ｂ内の撮影光学系（ここでは図示せず）が初期駆動され、レンズ鏡筒１０Ｂとともにカメラ前方へ自在に繰り出される。
【００１９】
ズームボタン２２は、撮影光学系をズーム動作させる場合に操作され、ユーザによって撮影範囲、構図が決定される。設定ボタン２０、決定ボタン２１は、撮影条件を設定する場合やモードを設定するために操作され、撮影モード、再生モード、メニューモード等のモードが設定ボタン２０により選択され、決定ボタン２１により決定される。撮影モード時には動画像が液晶モニタ１６に表示され、レリーズボタン１４に対する操作により撮影可能となる。再生モード時には、記録された静止画像が液晶モニタ１６に表示される。メニューモードが設定された場合、画質など撮影情報や様々な諸機能が液晶モニタ１６に表示され、ユーザは設定ボタン２０、決定ボタン２１を操作することにより撮影条件等を設定変更する。
【００２０】
図２は、デジタルスチルカメラ１０のブロック図である。
【００２１】
ＣＰＵを含むシステムコントロール回路５０はデジタルカメラ１０を制御し、カメラ全体の処理動作を実行するプログラムがＲＯＭ（図示せず）に格納されている。レリーズボタン操作検出スイッチ５１、設定スイッチ５７、ズームスイッチ５９などの回路がシステムコントロール回路５０に接続されており、パワースイッチボタン１５に対する操作によって電源がＯＮになると、パワースイッチ（図示せず）がＯＮになり、電池６５から各回路へ電源が供給される。決定スイッチ５６、設定スイッチ５７、ズームスイッチ５９では、それぞれ決定ボタン２１、設定ボタン２０、ズームボタン２２に対する操作に応じた信号がシステムコントロール回路５０へ送られる。
【００２２】
決定スイッチ５６、設定スイッチ５７からの操作信号に基づき、撮影モード、再生モードなどいずれかのモードがシステムコントロール回路５０により設定される。レリーズボタン操作検出スイッチ５１では、レリーズボタン１４の半押し、全押しが検出される。バッテリ残量検出回路６６は電池６５のバッテリ残量を検出し、バッテリ残量検出回路６６からシステムコントロール回路５０へ検出信号が送られる。
【００２３】
撮影モードが設定された場合、動画像を表示するための処理動作が実行される。撮影光学系１３を通った光がレンズシャッタ２８を介してＣＣＤ４０に到達することにより被写体像がＣＣＤ４０に形成されると、光電変換により被写体像に応じたアナログ画像信号が発生する。そして、ＣＣＤ駆動回路５２から送られてくる駆動信号に基づき、アナログ画像信号がＣＣＤ４０から所定時間間隔（例えば１／３０秒間隔）で順次読み出される。ＣＣＤ４０から読み出された画像信号は、アンプ回路４２において増幅され、Ａ／Ｄ変換器４４においてデジタル信号に変換される。画像処理回路４６では、ホワイトバランス調整処理、ガンマ補正処理など様々な処理がデジタル画像信号に対して施される。処理された画像信号は一時的にフレームメモリ４５に格納され、ＬＣＤドライバ４７へ送られる。ＬＣＤドライバ４７は、画像信号に基づいて液晶モニタ１６を駆動し、その結果、被写体像が動画像として液晶モニタ１６に表示される。ズームボタン２２が操作されると、撮影光学系１３内のズームレンズ１３Ｂがレンズ駆動回路６４により所定量だけ駆動される。
【００２４】
レリーズボタン１４が半押しされると、レリーズボタン操作検出スイッチ５１によって半押しが検出され、被写体の明るさ、被写体との距離が露出検出器６３において検出されるとともに、焦点調整のため、撮影光学系１３内のフォーカシングレンズ１３Ａがレンズ駆動回路６４によって駆動される。レリーズボタン１４がさらに全押しされると撮影動作が実行される。すなわち、レンズシャッタ２８が所定の開度で所定期間開き、被写体像がＣＣＤ４０に形成されると、被写体像に応じた１フレーム分の画像信号がＣＣＤ４０から読み出される。読み出された画像信号は、アンプ回路４２、Ａ／Ｄ変換器４４、画像処理回路４６において処理され、一時的にフレームメモリ４５に格納される。フレームメモリ４５から読み出された画像信号は、画像処理回路４６、システムコントロール回路５０を介して記録制御回路６２へ送られる。記録制御回路６２では、画像信号に対して圧縮処理が施され、圧縮画像データがメモリカード６０に記憶される。
【００２５】
再生モードが設定された場合、ユーザによって選択された圧縮画像データがメモリカード６０から読み出さる。記録制御回路６２では画像データに対して伸張処理が施され、システムコントロール回路５０、画像処理回路４６を介して一時的にフレームメモリ４５に格納される。そしてＬＣＤドライバ４７が画像信号に基づいて液晶モニタ１６を駆動することにより、選択された静止画像が液晶モニタ１６に再生表示される。
【００２６】
パワースイッチボタン１５に対し電源ＯＮの操作がなされると、撮影モード状態に移行するように、デジタルカメラ１０は初期設定動作する。特に、デジタルカメラ撮影光学系１３内のフォーカシングレンズ１３Ａ、ズームレンズ１３Ｂ、レンズシャッタ２８、ＣＣＤ４０、液晶モニタ１６に対して初期設定駆動処理が実行される。すなわち、ズームレンズ、フォーカシングレンズが撮影可能となるように所定位置へ移動するとともに、レンズシャッタ２８が設定された開度まで開く。また、撮影光学系１３により捉えられる被写体像を動画像として液晶モニタ１６に表示するため、ＣＣＤ４０、液晶モニタ１６が初期設定駆動される。一方、バッテリ残量が少ない場合、後述するように、再生モード設定可能となるように処理動作が実行される。
【００２７】
図３は、電源ＯＮ時の初期設定処理動作を示したフローチャートである。図４は、液晶モニタ１６に表示画面を示した図である。ユーザによってパワースイッチボタン１５が押下されると、実行開始される。
【００２８】
ステップＳ１０１では、通常起動されたか否かが判断される。すなわち、パワースイッチボタン１５の押下と同時に設定ボタン２０に対して所定の操作が行われたか否かが判断される。本実施形態のデジタルカメラ１０では、単にパワースイッチボタン１５が押下された場合、自動的に撮影モードへ移行するように設定されている。一方、パワースイッチボタン１５の押下と同時に設定ボタン２０に対して所定の操作が行われた場合には再生モードへ自動的に移行するように設定されている。
【００２９】
ステップＳ１０１において通常起動されたと判断された場合、ステップＳ１０２へ進み、電池６５のバッテリ残量が検出される。そしてステップＳ１０３では、検出されたバッテリ残量に基づき、撮影可能な状態となるように初期設定動作処理が実行できるか否かが判断される。すなわち、フォーカシングレンズ１３Ａ、ズームレンズ１３Ｂ、ＣＣＤ４０、レンズシャッタ２８、および液晶モニタ１６の初期設定駆動できるだけのバッテリ容量が残っているか否かが判断される。バッテリ容量が初期設定駆動できるほど残っていると判断された場合、ステップＳ１０４へ進み、フォーカシングレンズ１３Ａ、ズームレンズ１３Ｂ、ＣＣＤ４０、レンズシャッタ２８、および液晶モニタ１６が初期設定駆動され、撮影モードが設定される。
【００３０】
一方、ステップＳ１０３において、バッテリ容量が初期設定駆動できるほど残っていないと判断された場合、ステップＳ１０５へ進む。ステップＳ１０５では、液晶モニタ１６の駆動が可能であるか否かが判断される。すなわち、液晶モニタ１６が初期設定駆動できるほどバッテリ残量があるか否かが判断される。液晶モニタ１６を駆動することができないと判断された場合、ステップＳ１０８へ進み、初期設定駆動を行わずに電源ＯＦＦの処理動作が実行される。一方、液晶モニタ１６は初期設定駆動可能であると判断された場合、ステップＳ１０６へ進む。
【００３１】
ステップＳ１０６では、再生モード選択表示処理が実行される。すなわち、ユーザに再生モードを選択可能にする文字情報が液晶モニタ１６に表示されるように、システムコントロール回路５０から画像処理回路４６へ制御信号が送られる。本実施形態では、図４に示すように文字情報が表示され、ユーザは設定ボタン２０の操作により「はい」または「いいえ」を選択し、決定ボタン２１の操作により再生モード設定を決定することができる。
【００３２】
ステップＳ１０７では、決定スイッチ５６、設定スイッチ５７からの操作信号に基づき、ユーザにより再生モードが設定されたか否かが判断される。再生モードが選択されたと判断された場合、ステップＳ１１１へ進み、再生モードが設定される。再生モード状態においてパワースイッチボタン１５がＯＦＦ状態になると、ズームレンズ１３Ｂ、フォーカシングレンズ１３Ａ、ＣＣＤ４０、レンズシャッタ２８が非駆動状態のまま、ＬＣＤモニタ１６を駆動ＯＦＦさせる処理動作が実行される。一方、再生モードが選択されなかったと判断された場合、ステップＳ１０８へ進み、初期設定駆動を行わずに電源ＯＦＦの処理動作が実行される。
【００３３】
一方、ステップＳ１０１において通常起動でないと判断された場合、ステップＳ１０９へ進み、電池６５のバッテリ残量が検出される。そして、ステップＳ１１０では、ステップＳ１０５と同様、ＬＣＤモニタ１６の初期設定駆動が可能であるか否かが判断される。ＬＣＤモニタ１６の初期設定駆動が可能であると判断された場合、ステップＳ１１１へ進み、再生モードが設定される。一方、ＬＣＤモニタ１６が初期設定駆動できるほどバッテリ容量が残っていないと判断された場合、ステップＳ１０８へ進み、電源ＯＦＦの処理動作が実行される。
【００３４】
以上のように本実施形態によれば、カメラ１０の電源がＯＮ状態になると、バッテリ残量検出回路６６によりバッテリ残量が検出され（Ｓ１０２）、フォーカシングレンズ１３Ａ、ズームレンズ１３Ｂ、ＣＣＤ４０、レンズシャッタ２８、液晶モニタ１６を初期設定駆動可能できるほどバッテリ容量が残っているか判断される（Ｓ１０３）。初期設定駆動できるほどバッテリ容量がないと判断された場合、再生モード選択可能な表示処理が実行され（Ｓ１０６）、ユーザにより再生モードが選択、決定されると、フォーカシングレンズ１３Ａ、ズームレンズ１３Ｂ、ＣＣＤ４０、レンズシャッタ２８を初期設定駆動させることなく、再生モードが設定される（Ｓ１１１）。
【００３５】
撮影光学系１３内のフォーカシングレンズ１３Ａ、ズームレンズ１３Ｂやレンズシャッタ２８を駆動させるための電力は、電気回路等を駆動させるのに比べ大きい。特に、ＣＣＤ４０を駆動させる場合、消費電力が著しく、バッテリ容量を大きく低下させる。本実施形態では、撮影モードへ移行できるほどバッテリ容量は残っていないがＬＣＤ１６モニタの駆動可能だけバッテリ残量がある場合、再生モードを設定可能にする。これにより、ユーザが再生モードにより記録画像を表示させることを希望する場合、バッテリ容量が少なくともユーザの希望に添って再生表示することができる。
【００３６】
本実施形態では、電源ＯＮになると自動的に撮影モードになるように設定され，ユーザは電源ＯＮ状態でのみモード設定可能であるが、電源ＯＮ／ＯＦＦに関係なくユーザがモード設定可能なようにカメラを構成してもよい。例えば、モードダイヤルをカメラ１０に設け、ダイヤルの位置に従ってモードが選択されるように構成すればよい。この場合、ステップＳ１０６の表示処理が実行されると、ユーザは再生モードとなるようにモードダイヤルを回せばよい。
【００３７】
ズームレンズ、フォーカシングレンズを備えたコンパクト型デジタルカメラの代わりに、ズームレンズ、フォーカシングレンズのないコンパクト型デジタルカメラにも適用してもよい。あるいは、レンズシャッタの代わりに虹彩絞りを備えたカメラに適用してもよい。この場合、撮影可能にするための各機構が初期設定駆動できるか否かを判断して再生モードへ切り替えるように構成すればよい。
【００３８】
本実施形態ではコンパクト型デジタルスチルカメラが適用されているが、それ以外のデジタルスチルカメラ（例えば一眼レフ型カメラ）に適用してもよい。また、ムービーカメラに適用してもよい。さらには、再生モード以外に、キャラクタ情報や画像を表示する表示モード（撮影可能にするため各機構を初期設定駆動させる必要のないモード）へ切り替えるように構成してもよい。また、メニュー設定において、選択表示の有無、機能自体の有無を切り替えられるようにしてもよい。
【図面の簡単な説明】
【００３９】
【図１】本実施形態であるデジタルスチルカメラの斜視図である。
【図２】デジタルスチルカメラのブロック図である。
【図３】電源ＯＮ時の初期設定処理動作を示したフローチャートである。
【図４】液晶モニタに表示画面を示した図である。
【符号の説明】
【００４０】
１０  デジタルスチルカメラ
１３Ａ  フォーカシングレンズ
１３Ｂ  ズームレンズ
１６  液晶モニタ（表示部）
２０  設定ボタン（設定操作部材）
２１  決定ボタン（設定操作部材）
２８  レンズシャッタ
４０  ＣＣＤ（撮像素子）
５０  システムコントロール回路
６５  電池（バッテリ）
６６  バッテリ残量検出回路
【図１】
2005236757.tif 000003
【図２】
2005236757.tif 000004
【図３】
2005236757.tif 000005
【図４】
2005236757.tif 000006